(57)【要約】【課題】コンパクトに構成できる照明器具を提供すること。【解決手段】照明器具は、配線ダクト１０に接続されるプラグ部４と、このプラグ部４の下側に、プラグ部４の中心軸と略一致して中心軸が位置するように配設され、回路基板７が縦方向に配置された電源部６と、この電源部６の下側に配設され、光源を有する光源部３とを備えている。接続部材５１の一端側は前記回路基板７に接続され、他端側には接続部材５１の回動を防止する回動防止部５２ｂが設けられている。【選択図】図４
2018055773.tif 000002
【特許請求の範囲】
【請求項１】
配線ダクトに接続されるプラグ部と；
このプラグ部の下側に、プラグ部の中心軸と略一致して中心軸が位置するように配設され、回路基板が縦方向に配置された電源部と；
この電源部の下側に配設され、光源を有する光源部と；
を具備することを特徴とする照明器具。
【請求項２】
前記プラグ部と前記回路基板との間には、プラグ部に電気的に接続されるとともに回路基板に電気的に接続される接続部材が備えられており、
前記接続部材は軸方向に対し交差する方向に配置され、かつ前記接続部材の一端側は前記回路基板に接続され、他端側には接続部材の回動を防止する回動防止部が設けられていることを特徴とする請求項１に記載の照明器具。
【請求項３】
前記電源部は、２枚の前記回路基板を収容するケースを備えており、２枚の前記回路基板は、前記ケースの中心線からの距離が異なって配置されていることを特徴とする請求項１又は請求項２に記載の照明器具。
【発明の詳細な説明】
【技術分野】
【０００１】
本発明の実施形態は、配線ダクトに接続される照明器具に関する。
【背景技術】
【０００２】
従来、天井や上方空間に設置される配線ダクトの任意の位置に装着して使用するスポッ
【０００３】
トライト等の照明器具がある。このような照明器具は、点灯装置（電源）を収容して配線ダクトに取り付け可能な幅広のケースが、配線ダクトに沿うように横方向に配置されている。また、点灯装置に接続された光源部からの照射光を所望する角度に調整できるようになっている。
【先行技術文献】
【特許文献】
【０００４】
【特許文献１】特開２０１２−４８９７９号公報
【特許文献２】特開２０１３−２６１３５号公報
【発明の概要】
【発明が解決しようとする課題】
【０００５】
しかしながら、上記のような照明器具では、配線ダクトに沿って幅広のケースが配置されるため、複数の照明器具を配線ダクトに沿って近接して取り付けることが困難となる。
【０００６】
本発明は、上記課題に鑑みなされたもので、コンパクトに構成できる照明器具を提供することを目的とする。
【課題を解決するための手段】
【０００７】
本発明の実施形態による照明器具は、配線ダクトに接続されるプラグ部と；このプラグ部の下側に、プラグ部の中心軸と略一致して中心軸が位置するように配設され、回路基板が縦方向に配置された電源部と；この電源部の下側に配設され、光源を有する光源部と；を具備することを特徴とする。
【発明の効果】
【０００８】
本発明の実施形態によれば、コンパクトに構成できる照明器具を提供することができる。
【図面の簡単な説明】
【０００９】
【図１】本発明の実施形態に係る照明器具を示す側面図である。
【図２】同照明器具を示す斜視図である。
【図３】同照明器具を示す分解斜視図である。
【図４】図１中、Ｙ−Ｙ線に沿って切断して示す断面図である。
【図５】同照明器具における接続部ユニットを示し、（ａ）は斜視図であり、（ｂ）は接続部材を取り外した状態を示す斜視図である。
【図６】同照明器具における接続部ユニットを、接続部材の他端側のやや下側から見て示す斜視図である。
【図７】同照明器具における電源部のケースを省略し、接続部材と回路基板との接続関係を示す斜視図である。
【図８】図１中、Ｘ−Ｘ線に沿って切断して示す断面図である。
【発明を実施するための形態】
【００１０】
以下、本発明の実施形態について図１から図８を参照して説明する。なお、各図において同一部分には同一符号を付し、重複した説明は省略する。また、配線関係は省略して示している。
【００１１】
本実施形態では、照明器具として例えば、展示物や商品等の照明に用いられるスポットライトを示している。図１及び図２に示すように、照明器具１は、天井側に設置される配線ダクト１０の任意の場所に取り付けられ、機械的及び電気的に接続されるように構成されている。配線ダクト１０は、下面側に開口する溝を有する断面略コ字形で、溝内の両側に電源を供給する一対の導体が配設されている。
【００１２】
図３及び図４を併せて参照して示すように、照明器具１は、電源ユニット２と、この電源ユニット２に接続された光源部３とを備えている。また、電源ユニット２は、樹脂製の有底円筒状のケース２１を備え、このケース２１の上側にプラグ部４、接続部ユニット５及び電源部６が配設されている。また、ケース２１の一端側の開口部には、この開口部を塞ぐケースカバー２２が設けられている。これら電源ユニット２及び光源部３は、その中心軸Ｃが略一致するように上下方向に位置されて配設されている。したがって、電源ユニット２におけるプラグ部４及び電源部６がその中心軸Ｃが略一致するように上下方向に位置されて配設された構成となっている。また、加えて、光源部３もその中心軸Ｃが略一致するように配設されている。
【００１３】
プラグ部４は、照明器具１を配線ダクト１０に機械的及び電気的に接続する接続部材である。プラグ部４は、絶縁性を有する樹脂材料から形成された略円筒状の本体部４ａと、一対のＬ字状に形成された端子金具４ｂとを備えている。本体部４ａの外周面からは一対の係合片４ｃ及び操作つまみ４ｄが突設されている。なお、Ｌ字状の端子金具４ｂは、一端部が本体部４ａの内周面側から外側横方向に突出しており、他端部が軸方向に沿って下側、すなわち、電源部６側に延出している（図３参照）。
【００１４】
このような構成において、プラグ部４の本体部４ａが配線ダクト１０の溝に挿入され、プラグ部４が操作つまみ４ｄの操作で中心軸Ｃを中心として回動されることによって、係合片４ｃが配線ダクト４に係合される。また、この係合とともに一対の端子金具４ｂが配線ダクト１０の一対の導体に接続され、プラグ部４が配線ダクト１０に機械的及び電気的に接続される。
【００１５】
接続部ユニット５は、図５及び図６を併せて参照して示すように、接続部材である一対の接触板５１が配設されたユニット部品である。この接触板５１は、前記プラグ部４と後述する回路基板７との間に配置されている。また、接触板５１には、前記プラグ部４における端子金具４ｂの他端部が接触して電気的に接続されるようになっている。
【００１６】
具体的には、接続部ユニット５は、ベース部材５２と、このベース部材５２に配設された一対の接触板５１とを備えている。接触板５１は、導電性の材料で形成された板状の細長の部材であり、その一対が共通部品となっている。ベース部材５２には、接触板５１を支持するための一対の支持部５２ａ及びこの支持部５２ａと対向するように位置する一対の回動防止部５２ｂが形成されている。
【００１７】
支持部５２ａはベース部材５２に立設するように設けられ、この支持部５２ａには、接触板５１の一端側を上側からガイドして挿入支持できるように挿入溝５２ｃが形成されている。
【００１８】
回動防止部５２ｂは、接触板５１の他端側が挿入される挿入孔５２ｄを有して、ベース部材５２に立設するように設けられている。また、この挿入孔５２ｄの上側は、接触板５１の他端側が回動移動するのを防止するための回動防止壁５２ｅとなっている。
【００１９】
接触板５１をベース部材５２に取り付ける場合には、まず、接触板５１の他端側を挿入孔５２ｄに挿入し、次いで、接触板５１の一端側を上側から支持部５２ａの挿入溝５２ｃに挿入して固定する。なお、この接触板５１の一端側には、後述する電源部６と電気的に接続するリード線９が結線部９１で接続されるようになっている。
【００２０】
このような構成により、一対の接触板５１は、軸方向に対して交差する方向、具体的には、軸方向に対して直交する方向に配設される。
【００２１】
電源部６は、図１から図４、図７及び図８に示すように、前記プラグ部４とその中心軸Ｃが略一致するように、プラグ部４及び前記接続部ユニット５の下側に配設されている。電源部６は、ケース２１と、このケース２１内に配設された回路基板７とを備えている。回路基板７は、機能の異なる２枚の回路基板７１、７２とからなっており、これら回路基板７１、７２は、ケース２１内に軸方向に沿って縦方向に並設されるように配置されている。
【００２２】
具体的には、回路基板７１、７２は、略長方形状をなしていて、ケース２１の底壁に形成された基板保持部２２に保持されている。一方の回路基板７１は、電力供給用の基板であり、他方の回路基板７２は、制御用の基板である。回路基板７１には、コンデンサやコイル等の比較的大きなサイズの背の高い電子部品７３が実装される。一方、回路基板７２には、ＩＣやトランジスタ等の比較的小さなサイズの背の低い電子部品７４が実装される。
【００２３】
回路基板７１は、プラグ部４からの交流電源を所定の直流電源に変換して光源部３側へ供給する。回路基板７２は、例えば、図示しない無線モジュールからの制御信号に応じて光源部３側へ供給する直流電源の出力を変更し、光源をオン／オフ制御したり、光源の明るさを制御したりする。なお、回路基板７１と回路基板７２とは、例えば、図示しない、フラットケーブルによって電気的に接続されている。
【００２４】
以上のような回路基板７１、７２において、図８に示すように回路基板７１と回路基板７２とは、ケース２１の中心線Ｃｔからの距離が異なって配置されている。つまり、回路基板７１は中心線Ｃｔに近く、これに対し、回路基板７２は中心線から遠くなるように配置されている。換言すれば、中心線Ｃｔから回路基板７１までの距離をＬ1、中心線Ｃｔから回路基板７２までの距離をＬ2とすると、両者の関係は、Ｌ1＜Ｌ2の関係となっている。
【００２５】
したがって、比較的大きなサイズの電子部品７３が実装された回路基板７１とケース２１の内壁とのスペースを広く確保することが可能となり、電源部６をコンパクトに構成することができる。
【００２６】
また、図７に代表して示すように、回路基板７１、７２は、前記接続部ユニット５における接触板５１の一端側と例えば、リード線９によって結線部９１で電気的に接続されるようになっている。
【００２７】
光源部３は、電源部６の下側に設けられる灯具であり、放熱筐体３１と、光源としての発光モジュール３２と、レンズ３３と、レンズカバー３４とを備えている。
【００２８】
放熱筐体３１は、アルミニウムやアルミニウム合金の金属材料によって円筒状に形成されている。放熱筐体３１、すなわち、光源部３と、電源部６とは略同じ外径寸法に形成されている。また、放熱筐体３１の前面側には凹部３１ａが形成されているとともに照射開口３１ｂが形成され、放熱筐体３１の背面側には複数の放熱フィン３１ｃが設けられている。この一つの放熱フィン３１ｃにはアーム８がねじ止めされて取り付けられている。
【００２９】
発光モジュール３２は、照射開口３１ｂに対向して放熱筐体３１の凹部３１ａに配設されている。発光モジュール３２は、モジュール基板及びこのモジュール基板に実装された複数の発光素子を備えている。例えば、発光モジュール３２には、モジュール基板に実装された複数の発光素子としてのＬＥＤを蛍光体層で封止して発光面を形成したＣＯＢ（Chip on Board）モジュールが用いられている。
【００３０】
レンズ３３は、狭角レンズであり、発光モジュール３２の前面側に配設されて、発光モジュール３２から放射される光の配光を制御するようになっている。レンズカバー３４は、レンズ３３の周囲を覆うように前面側に突出するカバー部を有している。また、レンズカバー３４は、放熱筐体３１に着脱できるように構成されていて、用途に応じてレンズ３３を交換して取付けできるようになっている。
【００３１】
アーム８は、絶縁性を有する樹脂製で板状に形成されており、電源部６と光源部３とを連結する部材である。このアーム８によって電源部６に対して光源部３が回動可能に連結されており、光源部３の光の放射方向を変更して調整可能となっている（図２参照）。
【００３２】
以上のように構成された照明器具１によれば、電源ユニット２におけるプラグ部４及び電源部６は、その中心軸Ｃが略一致するように上下方向に位置されて配設されている。このため、照明器具１をコンパクトに構成でき、例えば、複数の照明器具１を配線ダクト１０に沿って近接して取り付けることが可能となる。
【００３３】
また、接続部ユニット５と電源部６との電気的な接続、具体的には、接触板５１と回路基板７との接続は、接触板５１の一端側が回路基板７とリード線９等によって接続して行われる。この場合、リード線９に下側（回路基板７側）に引っ張る力が作用すると、接触板５１にリード線９の結線部９１を中心として回転方向の力が働くため、接触板５１の位置がずれてしまう可能性がある。
【００３４】
しかしながら、本実施形態においては、ベース部材５２に回動防止部５２ｂが設けられており、この回動防止壁５２ｅによって接触板５１の回動を防ぐことができ、接触板５１の位置のずれを回避することが可能となる。
【００３５】
さらに、２枚の回路基板７１、７２は、ケース２１の中心線Ｃｔからの距離が異なって配置されているので、スペースを有効に利用して、電源部６をコンパクトに構成することが可能となる。
【００３６】
照明器具１を設置する場合には、プラグ部４を配線ダクト１０に機械的及び電気的に接続する。この状態で配線ダクト１０から交流電源が照明器具１に供給されるようになる。
【００３７】
照明器具１に交流電源が供給されると、プラグ部４及び接続部ユニット５を通じて、回路基板７１、７２及び発光モジュール３２へと電力が供給される。そして、光源部３における発光モジュール３２の発光面が発光し、その光がレンズ３３を透過して、所定の配光で対象物を照射する。また、発光モジュール３２から発生する熱は、放熱筐体３１から効率的に放熱されるようになる。
【００３８】
光源部３は、その光の照射方向を直下方向に向けることができ、また、図２に示すように、アーム８に対して光源部３を回動させることにより、光源部３の光の照射方向を直下方向から水平方向までの任意の向きに調整することができる。さらに、電源部３に対してアーム８を回動させることにより、光源部３の光の照射方向を水平方向の任意の向きに調整することができる。
【００３９】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１・・・・・照明器具
２・・・・・電源ユニット
３・・・・・光源部
４・・・・・プラグ部
５・・・・・接続部ユニット
６・・・・・電源部
７・・・・・回路基板
１０・・・・配線ダクト
５１・・・・接続部材（接触板）
５２ｂ・・・回動防止部
【図１】
2018055773.tif 000003
【図２】
2018055773.tif 000004
【図３】
2018055773.tif 000005
【図４】
2018055773.tif 000006
【図５】
2018055773.tif 000007
【図６】
2018055773.tif 000008
【図７】
2018055773.tif 000009
【図８】
2018055773.tif 000010